(57)【要約】【課題】  着座中の快適さを向上させ足への負担を解消させると共に、収納や運搬時における利便性を高めることができる座椅子を提供する。【解決手段】  座部２と背凭れ３とを枢着部４を介して回動自在に連結した座椅子１において、前記座部２の側面に床面に対して下方への角度調節が可能なラチェット金具１０と、前記背凭れ３の側面に座部方向に折曲可能な連結金具２０とを備える。前記連結金具２０は、パイプ芯材６同士を連結し、床面と平行に折曲できる。前記ラチェット金具１０および前記連結金具２０に、折曲側とは反対側にカバー体３０を装着させた。【選択図】      図１
0003109232.tif 000002
【実用新案登録請求の範囲】
【請求項１】
座部と背凭れとを枢着部を介して回動自在に連結した座椅子において、前記座部の側面に床面に対して下方への角度調節が可能なラチェット金具と、前記背凭れの側面に座部方向に折曲可能な連結金具とを備えることを特徴とする座椅子。
【請求項２】
前記連結金具は、パイプ芯材同士を連結し、床面と平行に折曲できる請求項１記載の座椅子。
【請求項３】
前記ラチェット金具および前記連結金具に、折曲側とは反対側にカバー体を装着させた請求項１または２記載の座椅子。
【考案の詳細な説明】
【技術分野】
【０００１】
本考案は、座椅子に関し、特には着座中の快適さを向上させ、収納や運搬時における利便性を高めることができる座椅子に関する。
【背景技術】
【０００２】
従来、背もたれ部だけでなく座部の角度を自由に調節可能な座椅子がある（例えば特許文献１参照）。
上掲特許文献１の座椅子は、床面に配置した座部と、該座部に対し枢着部を介して回動自在に連結した背もたれ部とからなり、前記座部に床面との角度を調節可能な調節手段を設けていることを特徴としている。  
【特許文献１】特開２００２−３４７０２号公報（第１−２頁、図１、図２）
【考案の開示】
【考案が解決しようとする課題】
【０００３】
しかしながら、上述構造の座椅子では、座部が一体的に上昇するため、着座中に窮屈な姿勢となり膝や足先への負担が生じた。また、運搬や収納面においても、作業効率が低下するという問題があった。
【０００４】
そこで、本考案は上記の点に鑑み、着座中の快適さを向上させ足への負担を解消させると共に、収納や運搬時における利便性を高めることができる座椅子を提供することにある。
【課題を解決するための手段】
【０００５】
上記課題を解決するために本考案の座椅子は、座部と背凭れとを枢着部を介して回動自在に連結した座椅子において、前記座部の側面に床面に対して下方への角度調節が可能なラチェット金具と、前記背凭れの側面に座部方向に折曲可能な連結金具とを備えることを特徴とする。前記連結金具は、パイプ芯材同士を連結し、床面と平行に折曲できる。前記ラチェット金具および前記連結金具に、折曲側とは反対側にカバー体を装着させてもよい。
【考案の効果】
【０００６】
座部の側面に床面に対して下方への角度調節が可能なラチェット金具を備えることで、座部中央を上昇させることができる。そのため、足を自然な状態で折り曲げることができ、リラックス感や安定性が向上する。
【０００７】
また、背凭れの側面に座部方向に折曲可能な連結金具を備えることで、背凭れを略中央部分から内側方向に屈曲させることができ、全体の大きさがコンパクトになるため、収納や運搬面で優れた効果が得られる。
【０００８】
さらに、前記ラチェット金具および前記連結金具に、夫々が折曲される側とは反対側にカバー体を装着させることで、折曲の際に生じる中材の亀裂や破損を未然に防ぐことができる。
【考案を実施するための最良の形態】
【０００９】
以下、本考案における座椅子の実施の形態を図面に基づいて説明する。
図１は、本考案の座椅子１の内部構造を示す全体斜視図である。座椅子１は、座部２、背凭れ３、座部２と背凭れ３とを角度調節自在に連結する枢着部４、および座部２に装着された肘掛５で内部が構成されている。座部２、背凭れ３および肘掛５の内部は、夫々形状化されたパイプ芯材６にて形成されている。
また、図６に示すように、座部２、背凭れ３および肘掛５には緩衝材７が配設されており、さらにこの緩衝材７の周囲はカバー８で被覆されている。
緩衝材７の材質は特に限定されるものではないが、例えば発泡ウレタン等のクッション性に富んだ材質が好ましい。
【００１０】
座部２の両側面の略中央部には、下方に折れ曲がるラチェット金具１０が装着されている。ラチェット金具１０は既存のものを使用することができる。ラチェット金具１０は、その構造より、図４に示すように、座部先方２ａを段階的に屈曲させることができる。そのため、着座の際、自然な状態で、即ち膝の関節の曲がり具合に応じた任意の角度で、折り曲げて着座することが可能となり、リラックス感や安定性が向上される。
【００１１】
背凭れ３の両側面の略中央部には、背凭れ上部３ａを座部方向に折曲させるための連結金具２０が装着されている。連結金具２０は、図２および図３に示すように、パイプ芯材６同士をフリーな状態で折曲させる特徴を有する。連結金具２０は、既存のラチェット金具に装着されている、逆転防止爪と巻ばねを保持する枢軸２１を取り除いた形状のものを採用することができる。枢軸２１を取り除いた形状のものを採用することにより、背凭れ３のパイプ芯材６同士は常に直立に固定されることなく、床面に対して容易に平行に折曲させた状態にすることができる。
【００１２】
連結金具２０を背凭れ３の両側面の略中央部に装着することで、図５および図７に示すように、背凭れ３の上部３ａが座部方向に折り曲げることができ、全体形状のコンパクト化が実現される。これにより、不使用時の収納や大量に運搬する際の利便性の点においてに優れた効果を奏する。
【００１３】
ラチェット金具１０および連結金具２０には、夫々カバー体３０が装着されていることが好ましい。かかるカバー体３０は、ラチェット金具１０および連結金具２０の折曲側とは反対側に装着されるもので、板状本体３１と、板状本体３１の両側面に設置された保持部３２とで構成される。カバー体３０を装着させることにより、図３に示すように、座部２および背凭れ３を折曲した際、夫々の金具のギヤ部分との接触により中材７が亀裂したり、破損したりすることを防ぐことができる。
【図面の簡単な説明】
【００１４】
【図１】本考案に係る座椅子の内部構造を示す全体斜視図である。
【図２】連結金具の全体斜視図である。
【図３】背凭れの屈曲状態を示す拡大図である。
【図４】座部を屈曲した状態を示す内部構造側面図である。
【図５】背凭れを屈曲した状態を示す内部構造側面図である。
【図６】本考案に係る座椅子の全体斜視図である。
【図７】背凭れを屈曲した状態を示す側面図である。
【符号の説明】
【００１５】
１    座椅子
２    座部
２ａ  座部先方
３    背凭れ
３ａ  背凭れ上部
４    枢着部
５    肘掛
６    パイプ芯材
７    緩衝材
８    カバー
１０  ラチェット金具
２０  連結金具
２１  枢軸
３０  カバー体  
３１  板状本体
３２  保持部
【図１】
0003109232.tif 000003
【図２】
0003109232.tif 000004
【図３】
0003109232.tif 000005
【図４】
0003109232.tif 000006
【図５】
0003109232.tif 000007
【図６】
0003109232.tif 000008
【図７】
0003109232.tif 000009